(57)【特許請求の範囲】
【請求項１】
壁体の内部空間に配備される断熱材と壁面との間に挿入される合成樹脂シート材より成る通気路形成用のスペーサーであり、
シート面の複数箇所を一方の表面より膨出させて形成された複数個の中空突部を有するとともに、外周縁には中空突部の突出方向と反対側へ延びる圧縮変形が可能な脚部が一体形成されて成る通気路形成用のスペーサー。
【請求項２】
壁体の内部空間に配備される断熱材と壁面との間に請求項１に記載のスペーサーを用いて通気路を形成するための壁体の通気路形成方法であり、
厚みが異なる少なくとも２種類の断熱材のうち、厚みの小さな方の断熱材が用いられるときは、脚部を圧縮変形させない状態で断熱材と壁面との間に前記スペーサーを挿入し、厚みの大きな方の断熱材が用いられるときは、脚部を圧縮変形させた状態で断熱材と壁面との間に前記スペーサーを挿入するようにした壁体の通気路形成方法。
【発明の詳細な説明】
【０００１】
【発明の属する技術分野】
この発明は、建築物の壁体の内部空間に配備される断熱材と壁面との間に挿入されて通気路を形成するための通気路形成用のスペーサーと、そのスペーサーを用いて通気路を形成するための通気路形成方法とに関する。
【０００２】
【従来の技術】
近年、木造住宅の多くは、壁体内に断熱材を配備して家屋の気密性を高め、室内が外気温に影響されることが少なくなるように形成されている。断熱材は、グラスウールなどから成り、壁体の外壁材と内壁材との間に形成される内部空間に挿入されるものである。
しかしながら、壁体内の気密性が高すぎると、隙間から浸入した湿気が壁体内に閉じこめられる結果、結露が発生して柱を腐食させたり、内壁材や外壁材の表面を変色させたり、かびや白蟻を発生させたりするという問題がある。
【０００３】
この問題を解消するのに、住宅メーカーでは、壁体の内部空間の通気性を良くするための種々の方法を提案した。
例えば、特開平９−３２８８３２号公報や、特開平１０−２２７０８０号公報では、複数の中空突条を有するスペーサーを外壁材と断熱材との間に配備することにより、壁体の内部空間に通気路を形成することが提案されている。
【０００４】
この種の断熱材には、厚みの小さいもの（例えば、５５ｍｍ）と、厚みの大きいもの（例えば、７５ｍｍ）との２種類の製品が販売されており、施主がいずれかを選択できるようになっている。
例えば、図６に示されるように、一辺が１２０ｍｍの寸法の柱５，５間に形成された外壁材６と内壁材７とに挟まれる内部空間２に、厚みの小さな方の断熱材４Ａを配備する場合、断熱材４Ａと外壁材６との間に幅が６５ｍｍの隙間が生じるので、厚みが６５ｍｍのスペーサー８０を挿入するようにする。
【０００５】
一方、図７に示すように、厚みの大きな方の断熱材４Ｂを配備する場合は、断熱材４Ｂと外壁材６との間に幅が４５ｍｍの隙間が生じるので、厚みが４５ｍｍのスペーサー９０を挿入するようにする。いずれかのスペーサー８０，９０によって断熱材４Ａ，４Ｂが内壁材７の内壁面へ押し付けられ、断熱材４Ａ，４Ｂと外壁材６との間に通気路３が形成される。
【０００６】
【発明が解決しようとする課題】
上記した壁体の通気路形成方法では、住宅メーカーは、厚みの異なる２種類のスペーサー８０，９０を用意する必要があり、スペーサー８０，９０の製作のために２つの金型が必要となり、製造コストが高くなるうえに、在庫管理も２種類必要となる。また、発注の都度、断熱材４Ａ，４Ｂの厚みに応じたスペーサー８０，９０を正しく指定する必要があり、その指定を誤ると、建築工事を遅延させるおそれがある。
【０００７】
この発明は、上記問題に着目してなされたもので、１種類で厚みの異なる断熱材に対応させることができる通気路形成用のスペーサーと、そのスペーサーを用いた壁体の通気路形成方法とを提供することを目的とする。
【０００８】
【課題を解決するための手段】
この発明による通気路形成用のスペーサーは、壁体の内部空間に配備される断熱材と壁面との間に挿入される合成樹脂シート材より成るものであり、シート面の複数箇所を一方の表面より膨出させて形成された複数個の中空突部を有するとともに、外周縁には中空突部の突出方向と反対側へ延びる圧縮変形が可能な脚部が一体形成されている。
【０００９】
また、この発明による壁体の通気路形成方法は、壁体の内部空間に配備される断熱材と壁面との間に上記したスペーサーを用いて通気路を形成するものであり、厚みが異なる少なくとも２種類の断熱材のうち、厚みの小さな方の断熱材が用いられるときは、脚部を圧縮変形させない状態で断熱材と壁面との間に前記スペーサーを挿入し、厚みの大きな方の断熱材が用いられるときは、脚部を圧縮変形させた状態で断熱材と壁面との間に前記スペーサーを挿入するようにしている。
【００１０】
この発明によるスペーサーを断熱材と壁面との間に挿入したとき、スペーサーによって断熱材が反対側の壁面へ押し付けられ、スペーサーの厚みに応じた通気路が形成される。
【００１１】
この発明によるスペーサーを用いて壁体の内部空間に通気路を形成する場合、厚みが異なる少なくとも２種類の断熱材のうち、厚みの小さな方の断熱材が用いられるときは、脚部を圧縮変形させない状態で断熱材と壁面との間に前記スペーサーを挿入する。この状態ではスペーサーの厚みは中空突部の高さと脚部の高さとの和となり、この厚みに応じた通気路が形成される。厚みの大きな方の断熱材が用いられるときは、脚部を圧縮変形させた状態で断熱材と壁面との間に前記スペーサーを挿入する。この状態ではスペーサーの厚みは中空突部の高さに一致し、この厚みに応じた通気路が形成される。
【００１２】
【発明の実施の形態】
図１は、この発明の一実施例である壁体１の内部構造を示す。また、図２および図３は、この壁体１の内部空間２に組み込まれる通気路形成用のスペーサー１０の構成を示す。
図示例の壁体１は、所定の間隔で配備される複数本の柱５と、各柱５を挟むように対向して取り付けられる外壁材６および内壁材７とで構成されるもので、壁体１の内部空間２には断熱材４と通気路形成用のスペーサー１０とが配備されている。
【００１３】
柱５は例えば１２０ｍｍ角の木材から成り、外壁材６は木質の合板パネルなどから成る。外壁材６の外壁面にはサイディングなどの外装材が設けられる。内壁材７は、例えば石膏ボードや木質の合板パネルより成り、内壁面には壁紙などの内装材が貼設される。断熱材４は、グラスウールやロックウールなどを圧縮して矩形板状に成型したもので、外周面を防湿用のポリエチレンフィルムなどで覆っている。
各柱５を挟むようにして外壁材６と内壁材７とを取り付けると、隣り合う柱５，５間には、柱５の厚み（１２０ｍｍ）に応じた内部空間２が形成され、この内部空間２に断熱材４とスペーサー１０とが配備される。
【００１４】
スペーサー１０は、ポリプロピレンなどの可撓性を有する合成樹脂シート材より成るもので、シート面１１の複数箇所を一方の表面より膨出させて形成された複数個の中空突部１２を有している。また、シート面１１の外周縁には、中空突部１２の突出方向と反対側へ延びる圧縮変形が可能な脚部１３が一体形成されている。
【００１５】
各中空突部１２は、先端に向けて細いテーパ状の胴部１６と、胴部１６の先端部に形成された平坦な突当て面１５とから成る。断熱材４の表面に各中空突部１２の突当て面１５を当接させ、断熱材４を内壁材７の内壁面へ押し付けた状態で支持したとき、隣り合う中空突部１２，１２間に通気路３が形成される。
なお、胴部１６はテーパ状に限らず、円柱状や半球状などの形状であってもよい。また、図示例では、中空突部１２の配列を列と行とを揃えた整列状態に設定成しているが、千鳥配列などであってもよい。
【００１６】
前記脚部１３は、外壁材６の内壁面上に支持される支持部１８と、スペーサー１０の厚み調整のための立上り部１７とから成る。支持部１８には、所定の間隔毎にねじ孔１４が開設されており、各ねじ孔１４にねじ９を挿入して外壁材６にねじ込むことにより、スペーサー１０が外壁材６の内壁面に固定される。なお、スペーサー１０の固定手段はねじ９に限らず、ステイプルなどを用いることもできる。
【００１７】
前記断熱材４として、図４に示すような５５ｍｍの厚みの断熱材４Ａと、図５に示すような７５ｍｍの厚みの断熱材４Ｂとが用いられる。厚みの小さい方の断熱材４Ａを用いるときは、断熱材４Ａと外壁材６との間には６５ｍｍの隙間が、また、厚みの大きい方の断熱材４Ｂを用いるときは４５ｍｍの隙間が、それぞれ生じる。スペーサー１０は、厚みの小さな断熱材４Ａが用いられるときに生じる隙間に合わせて全体の厚みが６５ｍｍに設定されるとともに、厚みの大きな断熱材４Ｂが用いられるときに生じる隙間に合わせて中空突部１２の高さが４５ｍｍに設定されている。従って、脚部１３の立上り部１７の高さは２０ｍｍである。
【００１８】
壁体１に厚みの小さい方の断熱材４Ａを用いるとき、図４に示すように、柱５に取り付けられた外壁材６の内壁面にスペーサー１０をねじ９でねじ止めし、この状態で、内部空間２に断熱材４Ａを配備するとともに、内壁材７を柱５に取り付ける。これにより、スペーサー１０の中空突部１２の突当て面１５が断熱材４Ａを内壁材７の内壁面へ押し付けた状態で支持し、断熱材４Ａとスペーサー１０のシート面１１との間にスペーサー１０の厚み（６５ｍｍ）に応じた通気路３が形成される。
【００１９】
一方、壁体１に厚みの大きい方の断熱材４Ｂを用いるときは、図５に示すように、柱５に取り付けられた外壁材６の内壁面にスペーサー１０をねじ９でねじ止めした後、スペーサー１０の厚みを断熱材４Ｂの厚みに対応させるためにスペーサー１０の脚部１３を圧縮変形させ、この状態で、内部空間２に断熱材４Ｂを配備するとともに、内壁材７を柱５に取り付ける。これにより、スペーサー１０の中空突部１２の突当て面１５が断熱材４Ｂを内壁材７の内壁面へ押し付けた状態で支持し、断熱材４Ｂとスペーサー１０との間にスペーサー１０の厚み（４５ｍｍ）に応じた通気路３が形成される。
【００２０】
なお、断熱材４の厚みが、前記した５５ｍｍから７５ｍｍまでの間であれば、スペーサー１０の脚部１３の圧縮変形の程度を調整することにより対応することができる。
【００２１】
上記した構成のスペーサー１０を用いることにより、壁体１の内部の断熱材４と外壁材６との間に通気路３が形成され、壁体１の内部空間２の通気性が高まり、建物の床下から小屋裏まで湿気がこもることがないうえに、内壁材７の内壁面に断熱材４が支持されているから、室内への外気温の遮断効果も妨げられることがない。
【００２２】
【発明の効果】
この発明によれば、スペーサーの厚みを断熱材の厚みに応じて設定できるので、１種類のスペーサーを用意するだけで、壁体の内部に通気路を形成することができる。
【図面の簡単な説明】
【図１】この発明の一実施例である壁体の内部構造を示す斜視図である。
【図２】スペーサーの外観を示す斜視図である。
【図３】図２のＡ−Ａ線に沿う断面図である。
【図４】壁体の内部構造を示す断面図である。
【図５】壁体の内部構造を示す断面図である。
【図６】従来の壁体の内部構造を示す断面図である。
【図７】従来の壁体の内部構造を示す断面図である。
【符号の説明】
１    壁体
２    内部空間
４，４Ａ，４Ｂ  断熱材
１０  スペーサー
１１  シート面
１２  中空突部
１３  脚部
【図１】
0004709440.tif 000002
【図２】
0004709440.tif 000003
【図３】
0004709440.tif 000004
【図４】
0004709440.tif 000005
【図５】
0004709440.tif 000006
【図６】
0004709440.tif 000007
【図７】
0004709440.tif 000008